(57)【要約】【課題】ワイパーからプラテンへの液体の飛散を確実に防止できる液滴噴射装置を提供すること。【解決手段】インクジェットプリンタ１は、インクジェットヘッド４が搭載されたキャリッジ３の移動軌跡上で、且つ、キャリッジ３の走査方向に関してプラテン２から離れた位置に立設されたワイパー２２を有する。さらに、ワイパー２２には、そのプラテン２側の面に隣接してワイパーフィルム２６が設けられている。【選択図】図２
2012056126.tif 000002
【特許請求の範囲】
【請求項１】
液滴が噴射される対象である被噴射体が載置されるプラテンと、
前記プラテンに平行で、前記被噴射体に対して液滴を噴射するノズルが開口した液滴噴射面を有する液滴噴射ヘッドと、
前記液滴噴射ヘッドが搭載され、前記プラテンに平行な所定の走査方向に移動可能なキャリッジと、
前記キャリッジの移動軌跡上で、且つ、前記走査方向に関して前記プラテンから離れた位置に立設されたワイパーと、
前記ワイパーを前記液滴噴射面に対して相対移動させて、前記ワイパーに前記液滴噴射面に付着した液体を拭き取らせるワイパー駆動手段と、
前記ワイパーと前記プラテンとの間において、前記ワイパーとほぼ平行な姿勢で設置された板状部材と、
を有することを特徴とする液滴噴射装置。
【請求項２】
前記ワイパー駆動手段は、前記キャリッジを前記ワイパーに対して走査方向に移動させることにより、前記ワイパーを前記液滴噴射面に対して前記走査方向に沿って相対移動させるものであり、
前記液滴噴射ヘッドが前記走査方向に関して前記ワイパーと同じ位置にあるときに、前記ワイパーを前記液滴噴射面と直交する方向に移動させて、前記ワイパーを前記液滴噴射面に対して離接させる離接手段と、
前記ワイパー駆動手段と前記離接手段をそれぞれ制御して、前記ワイパーに前記液滴噴射面の拭き取りを行わせる拭き取り制御手段をさらに備え、
前記拭き取り制御手段は、
前記ワイパーの先端部を前記液滴噴射面に接触させた状態で、前記キャリッジを前記走査方向に関して前記プラテンに近づく方向に移動させることにより、前記ワイパーに前記液滴噴射面を拭き取らせた後、
前記キャリッジを前記走査方向に関して前記プラテンから遠ざかる方向に移動させつつ、前記ワイパーを前記液滴噴射面から離間させることを特徴とする請求項１に記載の液滴噴射装置。
【請求項３】
前記板状部材は、前記ワイパーの前記プラテン側の面との間で毛管力を生じさせる所定の隙間を空けて、前記ワイパーに隣接して配置されていることを特徴とする請求項１又は２に記載の液滴噴射装置。
【請求項４】
前記板状部材の曲げ剛性は、前記ワイパーの曲げ剛性よりも小さいことを特徴とする請求項３に記載の液滴噴射装置。
【請求項５】
前記板状部材の先端は、前記ワイパーの先端よりも低い位置にあり、
前記ワイパーが前記液滴噴射面の拭き取りを行うときには、
前記ワイパーの前記液滴噴射面に接触する先端部が湾曲するのに伴って、このワイパーに隣接する前記板状部材の先端部も湾曲しつつ、前記板状部材の先端は前記液滴噴射面に接触しないことを特徴とする請求項３又は４に記載の液滴噴射装置。
【請求項６】
前記板状部材の先端部が、前記ワイパーの前記プラテン側の面に近づくように曲がっていることを特徴とする請求項３〜５の何れかに記載の液滴噴射装置。
【発明の詳細な説明】
【技術分野】
【０００１】
本発明は、液滴を噴射する液滴噴射装置に関する。
【背景技術】
【０００２】
液滴を噴射する液滴噴射装置の代表的なものとして、被記録媒体にインクを噴射して画像等を記録するインクジェット記録装置が知られている。また、このインクジェット記録装置として、被記録媒体に対して所定の走査方向に移動するキャリッジと、このキャリッジに搭載され、複数のノズルが開口したインク噴射面を有するインクジェットヘッドを有する、いわゆるシリアル型のインクジェット記録装置が広く採用されている。このインクジェット記録装置は、プラテン上に載置された被記録媒体に対して、キャリッジをプラテンと平行な走査方向に移動させながら、キャリッジとともに移動するインクジェットヘッドのインク噴射面のノズルから被記録媒体に対してインクを噴射させることにより、被記録媒体に所望の画像等を記録するようになっている。
【０００３】
ところで、上記インクジェット記録装置においては、印刷中にノズルから噴射されたインクや、あるいは、ノズルの噴射機能回復のために行われるパージによってノズルから排出されたインクがインク噴射面に付着することがある。このような、インク噴射面におけるインクの付着は、ノズルの噴射曲がりによる印字品質低下や、付着インクの固化に起因するノズル詰まり等、様々な不具合の発生要因となる。そこで、インクジェット記録装置は、一般的に、インク噴射面に付着したインクを拭き取るワイパーを備えている。
【０００４】
一般的なシリアル型のインクジェット記録装置においては、特許文献１，２に開示されているように、ワイパーは、キャリッジの走査方向に関して、被記録媒体が載置されるプラテンから離れた領域（非記録領域）に配置される。そして、キャリッジが非記録領域まで移動してワイパーの直上に位置し、ワイパーの先端部がインクジェットヘッドのインク噴射面に接触した状態で、ワイパーをインク噴射面に対して相対移動させることによって、インク噴射面に付着したインクを拭き取るようになっている。
【０００５】
尚、従来から、ワイパーが拭き取り終了時にインク噴射面から離れる際に、変形したワイパーの弾性エネルギーが解放されたときに、ワイパーに付着したインクが周囲に飛散するという問題が知られている。これに対し、特許文献１には、ワイパーに対してキャリッジをプラテン（被記録媒体）に近づく方向に移動させ、これによって、ワイパーをプラテンから遠ざける方向に相対移動させて、インク噴射面の拭き取りを行うことが開示されている。この場合、ワイパーの拭き取り終了時にインクは非記録領域に飛び散り、プラテン（被記録媒体）側には飛散しないとされている。
【０００６】
また、特許文献２に開示されたワイパーには、その両面を連通させる開口部が設けられており、拭き取り面に付着したインクが開口部から裏面に逃がされて、裏面を伝わって僅かずつ流れ落ちるようになっている。従って、拭き取りが終了してインク噴射面から離れる際には、ワイパーに付着しているインク量がかなり少なくなっており、周囲への飛散量が低減されることになる。
【先行技術文献】
【特許文献】
【０００７】
【特許文献１】特許第３４５３５３１号公報（図１１、段落００５６）
【特許文献２】特許第３９０３６５２号公報
【発明の概要】
【発明が解決しようとする課題】
【０００８】
しかしながら、被記録媒体が載置されるプラテン上に、例え少量であってもワイパーからのインクが飛散してくると被記録媒体が汚れてしまい、印字品質に悪影響を及ぼすことから、ワイパーからプラテンへのインクの飛散はほぼ完全に阻止されることが好ましい。
【０００９】
この点、上記特許文献１，２に開示された構成では、ワイパーからプラテン側へのインクの飛散防止は十分ではない。特許文献１では、ワイパーのインク噴射面に直接接触する面（拭き取り面）はプラテンと反対側の面であるが、拭き取られたインクがワイパーのプラテン側の面に回ってくる可能性は皆無ではない。従って、ワイパーのプラテン側の面にインクが付着した状態で、ワイパーがインク噴射面から離れたときに、インクがプラテン側に飛散する虞がある。また、特許文献２では、ワイパーで拭き取ったインクを落とすことにより付着したインク量を減らしてはいるものの、ワイパーの両面を連通させる開口部が存在するが故に、ワイパーの両面にインクが付着した状態となることから、ワイパーの拭き取り方向にかかわらず、ワイパーがインク噴射面から離れる際にプラテン側にインクが飛散してしまうことになる。
【００１０】
本発明の目的は、ワイパーからプラテンへの液体の飛散を確実に防止できる液滴噴射装置を提供することである。
【課題を解決するための手段】
【００１１】
第１の発明の液滴噴射装置は、液滴が噴射される対象である被噴射体が載置されるプラテンと、前記プラテンに平行で、前記被噴射体に対して液滴を噴射するノズルが開口した液滴噴射面を有する液滴噴射ヘッドと、前記液滴噴射ヘッドが搭載され、前記プラテンに平行な所定の走査方向に移動可能なキャリッジと、前記キャリッジの移動軌跡上で、且つ、前記走査方向に関して前記プラテンから離れた位置に立設されたワイパーと、前記ワイパーを前記液滴噴射面に対して相対移動させて、前記ワイパーに前記液滴噴射面に付着した液体を拭き取らせるワイパー駆動手段と、前記ワイパーと前記プラテンとの間において、前記ワイパーとほぼ平行な姿勢で設置された板状部材と、を有することを特徴とするものである。
【００１２】
この構成によれば、ワイパーとプラテンとの間に、ワイパーとほぼ平行な姿勢で板状部材が設けられていることから、ワイパーが、液滴噴射面に付着する液体を拭き取ったときに、ワイパーからプラテン側に液体が飛散したとしても、その液体は板状部材によりブロックされるため、プラテンへの液体の付着が確実に防止される。尚、本発明において、ワイパー駆動手段は、ワイパーを液滴噴射ヘッドの液滴噴射面に対して移動させるものであってもよいし、逆に、液滴噴射ヘッドをワイパーに対して移動させるものであってもよい。
【００１３】
第２の発明の液滴噴射装置は、前記第１の発明において、前記ワイパー駆動手段は、前記キャリッジを前記ワイパーに対して走査方向に移動させることにより、前記ワイパーを前記液滴噴射面に対して前記走査方向に沿って相対移動させるものであり、
前記液滴噴射ヘッドが前記走査方向に関して前記ワイパーと同じ位置にあるときに、前記ワイパーを前記液滴噴射面と直交する方向に移動させて、前記ワイパーを前記液滴噴射面に対して離接させる離接手段と、前記ワイパー駆動手段と前記離接手段をそれぞれ制御して、前記ワイパーに前記液滴噴射面の拭き取りを行わせる拭き取り制御手段をさらに備え、
前記拭き取り制御手段は、前記ワイパーの先端部を前記液滴噴射面に接触させた状態で、前記キャリッジを前記走査方向に関して前記プラテンに近づく方向に移動させることにより、前記ワイパーに前記液滴噴射面を拭き取らせた後、前記キャリッジを前記走査方向に関して前記プラテンから遠ざかる方向に移動させつつ、前記ワイパーを前記液滴噴射面から離間させることを特徴とするものである。
【００１４】
本発明では、キャリッジをワイパーに対して走査方向に移動させることにより、ワイパーが、液滴噴射ヘッドの液滴噴射面に対して走査方向に沿って相対的に移動して拭き取りを行う構成を前提とする。キャリッジをプラテンに近づく方向に移動させる、即ち、液滴噴射面に対してワイパーをプラテンから遠ざかる方向に移動させて、液滴噴射面を拭き切るようにした場合、ワイパーの拭き取り面はプラテンと反対側の面になることから、拭き取った液体がワイパーから飛び散ったとしても、プラテン側に飛散するインクはそれほど多くない。しかし、拭き取りを行っているときにはワイパーは湾曲して大きな弾性エネルギーを蓄えた状態であり、上記のようにワイパーを一方向に移動させて拭き切るようにすると、ワイパーが液滴噴射面から離れるときにワイパーが湾曲状態から元の形状に戻る際に、上記弾性エネルギーが一度に解放されるために、多量且つ広範囲に液体が飛散してしまう。
【００１５】
そこで、本発明では、キャリッジをプラテンに近づく方向に移動させて、ワイパーにより液滴噴射面の拭き取りを行った後に、そのまま拭き切ってワイパーを液滴噴射面から離すのではなく、キャリッジ（ワイパー）を少し逆方向に移動させつつ液滴噴射面からその直交方向に離間させるようにしている。これにより、ワイパーの湾曲が幾分緩和されて弾性エネルギーが減少した状態で、ワイパーが液滴噴射面から離間することになり、液体の飛散を抑制できる。但し、この場合、ワイパーを逆方向に移動させた際に、本来は液体の拭き取り面ではない、プラテン側の面が液滴噴射面に接触して液体が付着することがあるため、ワイパーからプラテン側への液体の飛散が生じる虞がある。従って、上記のような拭き取り制御を行う場合に、特に、プラテンとワイパーとの間に板状部材を設けることが好ましい。
【００１６】
第３の発明の液滴噴射装置は、前記第１又は第２の発明において、前記板状部材は、前記ワイパーの前記プラテン側の面との間で毛管力を生じさせる所定の隙間を空けて、前記ワイパーに隣接して配置されていることを特徴とするものである。
【００１７】
ワイパーから液体がプラテン側に飛散した場合、この液体は重力の影響を受けて放物線の軌跡を描いてプラテンまで飛翔するため、ワイパーとプラテンとの真ん中の位置に板状部材を置いた場合には、飛散した液体の一部が板状部材の上を超えてプラテンに到達することも考えられる。そのために、板状部材は、液体の飛散元であるワイパーに隣接して設けられることが好ましい。また、ワイパーと板状部材とが、毛管力を生じさせるような所定の隙間を空けて隣接していることから、ワイパーのプラテン側の面に付着した液体を、毛管力の作用によってワイパーと板状部材との間の隙間に吸い込ませ、速やかに排出することができ、液体の飛散をさらに確実に防止することができる。さらに、ワイパーに隣接して配置される板状部材が、ワイパーと接触することによって、ワイパーの振動が抑制されるという効果も得られ、これによっても、ワイパーからの液体の飛散が防止される。
【００１８】
第４の発明の液滴噴射装置は、前記第３の発明において、前記板状部材の曲げ剛性は、前記ワイパーの曲げ剛性よりも小さいことを特徴とするものである。
【００１９】
板状部材の曲げ剛性が高いと、拭き取り時に液滴噴射面に接触するワイパーの湾曲変形が阻害されてしまうため、板状部材の曲げ剛性はワイパーよりも小さいことが好ましい。
【００２０】
第５の発明の液滴噴射装置は、前記第３又は第４の発明において、前記板状部材の先端は、前記ワイパーの先端よりも低い位置にあり、前記ワイパーが前記液滴噴射面の拭き取りを行うときには、前記ワイパーの前記液滴噴射面に接触する先端部が湾曲するのに伴って、このワイパーに隣接する前記板状部材の先端部も湾曲しつつ、前記板状部材の先端は前記液滴噴射面に接触しないことを特徴とするものである。
【００２１】
ワイパーに付着した液体の飛散防止、及び、毛管力の作用による付着液体の吸引排出を効果的に行うためには、板状部材はワイパーの先端近くまで延びていることが好ましい。一方で、板状部材の先端とワイパーの先端位置とが同じであると、板状部材の先端が液滴噴射面に接触してしまう。そこで、板状部材の先端はワイパーの先端よりも少しだけ低い位置にあり、ワイパーの先端部が液滴噴射面に接触して湾曲する際に、これに伴って板状部材の先端部も湾曲するような位置関係にあることが好ましい。
【００２２】
但し、ワイパーの先端部の湾曲に伴って板状部材の先端部も湾曲するといっても、両者の間に隙間がある分、ワイパーが液滴噴射面に接触して湾曲するときの、ワイパーと板状部材の曲率は同じにはならず、板状部材の曲率はワイパーよりも小さくなる（湾曲が緩やかになる）。そのため、湾曲していない状態において板状部材の先端とワイパーの先端とが近いと、ワイパーが大きく湾曲したときに板状部材の先端位置とワイパーの先端位置とがほぼ同じになり、板状部材の先端が液滴噴射面に接触してしまう。そこで、板状部材の先端は、拭き取り時のワイパーの湾曲状態においても液滴噴射面に接触しないように、ワイパーの先端に対する位置が決定されていることが好ましい。
【００２３】
第６の発明の液滴噴射装置は、前記第３〜第５の何れかの発明において、前記板状部材の先端部が、前記ワイパーの前記プラテン側の面に近づくように曲がっていることを特徴とするものである。
【００２４】
ワイパーと板状部材との間で強い毛管力を発生させるには、両者の先端部同士の隙間が小さいことが望ましいが、基端側の部分においても隙間が小さいと、先端部間の隙間に吸い込まれた液体が残留しやすくなる。本発明では、板状部材の先端部がワイパー側に曲がっていることで、ワイパーと板状部材の先端部同士は隙間が小さくなり、大きな毛管力を発生させることができる一方で、基端部においては隙間が大きくなり、先端部間に吸い込まれた液体を速やかに排出することができる。
【発明の効果】
【００２５】
本発明によれば、ワイパーとプラテンとの間に、ワイパーとほぼ平行な板状部材が設けられていることから、ワイパーが液滴噴射面に付着した液体を拭き取ったときに、ワイパーからプラテン側に液体が飛散したとしても、その液体は板状部材によりブロックされるため、プラテンへの液体の付着が確実に防止される。
【図面の簡単な説明】
【００２６】
【図１】本実施形態に係るインクジェットプリンタの概略構成を示す平面図である。
【図２】図１のII-II線矢視図である
【図３】ワイパー及びこれに付随するワイパーフィルムを示す図であり、（ａ）は斜視図、（ｂ）は側面図である。
【図４】メンテナンスユニットの動作説明図である。
【図５】インクジェットプリンタの制御係を概略的に示すブロック図である。
【図６】ワイパーのインク拭き取り動作の説明図である。
【図７】変更形態に係るインクジェットプリンタの概略構成を示す平面図である。
【発明を実施するための形態】
【００２７】
次に、本発明の実施の形態について説明する。図１は、本実施形態に係るインクジェットプリンタの概略構成を示す平面図、図２は、図１のII-II線矢視図である。尚、図１における前後左右の方向を前後左右と定義するとともに、図１の紙面垂直方向（図２の上下方向）を上下方向と定義し、以下の説明にて適宜使用する。
【００２８】
図１、図２に示すように、インクジェットプリンタ１（液滴噴射装置）は、記録用紙Ｐ（被噴射体）が載置されるプラテン２と、このプラテン２と平行な走査方向に往復移動可能なキャリッジ３と、キャリッジ３に搭載されたインクジェットヘッド４（液滴噴射ヘッド）と、記録用紙Ｐを走査方向と直交する搬送方向に搬送する搬送機構５と、インクジェットヘッド４の液滴噴射性能の回復に関する各種メンテナンス作業を行うメンテナンスユニット６と、インクジェットプリンタ１の全体制御を司る制御装置７（図５参照）等を備えている。
【００２９】
プラテン２の上面には図示しない給紙機構から供給された記録用紙Ｐが載置される。また、プラテン２の上方には、図１の左右方向（走査方向）に平行に延びる２本のガイドレール１０，１１が設けられ、キャリッジ３は、プラテン２と対向する領域において２本のガイドレール１０，１１に沿って走査方向に往復移動可能に構成されている。また、２本のガイドレール１０，１１は、プラテン２から走査方向に沿って図１の右方に離れた位置（メンテナンスポジション）まで延在しており、キャリッジ３は、プラテン２上の記録用紙Ｐと対向する領域（記録領域）から、非記録領域である上記メンテナンスポジションまで移動可能に構成されている。また、キャリッジ３には、２つのプーリ１２，１３間に巻き掛けられた無端ベルト１４が連結されており、キャリッジ駆動モータ１５によって無端ベルト１４が走行駆動されたときに、キャリッジ３は、無端ベルト１４の走行に伴って走査方向に移動するようになっている。
【００３０】
インクジェットヘッド４は、キャリッジ３の下部に取り付けられており、プラテン２の上面と平行な、インクジェットヘッド４の下面が、複数のノズル１６が開口するインク噴射面４ａ（液滴噴射面）となっている。そして、このインク噴射面４ａの複数のノズル１６から、プラテン２に載置された記録用紙Ｐに対してインクを噴射する。
【００３１】
また、キャリッジ３の走査方向における２つの側面（左側面及び右側面）には、２つのローラ１７がそれぞれ回転自在に設けられ、２つのローラ１７は走査方向においてインクジェットヘッド４を挟むように配置されている。また、図２に示すように、２つのローラ１７は、インクジェットヘッド４のインク噴射面４ａよりも下側に飛び出すとともに、プラテン２の上面に対して、記録用紙Ｐの厚みよりも大きい所定のギャップを空けて対向している。そして、印刷中に記録用紙Ｐが反った場合に、２つのローラ１７によって記録用紙Ｐが上から押さえつけられるようになっており、反った記録用紙Ｐがインク噴射面４ａに接触することや、記録用紙Ｐが丸まった状態で搬送されて紙詰まりを生じさせることが防止される。
【００３２】
搬送機構５は、搬送方向にプラテン２を挟むように配置された２つの搬送ローラ１８，１９を有し、これら２つの搬送ローラ１８，１９によって、プラテン２に載置された記録用紙Ｐを搬送方向（図１の前方）に搬送する。
【００３３】
そして、インクジェットプリンタ１は、プラテン２上に載置された記録用紙Ｐに対して、キャリッジ３とともに走査方向（図１の左右方向）に往復移動するインクジェットヘッド４からインクを噴射させるとともに、２つの搬送ローラ１８，１９によって記録用紙Ｐを搬送方向（図１の前方）に搬送することにより、記録用紙Ｐに所望の画像や文字等を印刷する。
【００３４】
メンテナンスユニット６は、インクジェットヘッド４内に混入した異物や気泡等を取り除くために、ノズル１６からインクを吸引排出させる吸引パージや、インク噴射面４ａに付着したインクの拭き取りを行い、インクジェットヘッド４のインク噴射性能の回復及び維持を図るものである。
【００３５】
メンテナンスユニット６は、キャリッジ３の走査方向の移動軌跡上であって、走査方向に関してプラテン２から図１の右方に離れた位置、即ち、インクジェットヘッド４がキャリッジ３とともに非記録領域であるメンテナンスポジションまで移動してきたときにインク噴射面４ａと対向する位置に配置されている。メンテナンスユニット６は、メンテナンスベース２０と、このメンテナンスベース２０に設けられた吸引キャップ２１、及び、ワイパー２２と、吸引キャップ２１に接続された吸引ポンプ２３等を備えている。図３は、ワイパー２２、及び、これに付随する後述のワイパーフィルム２６を示す図である。また、図４は、メンテナンスユニット６の動作説明図である。
【００３６】
吸引キャップ２１は、メンテナンスベース２０に対して上下方向に移動可能に取り付けられ、メンテナンスベース２０内に設けられたキャップ昇降モータ２４（図５参照、図１、図２では図示省略）によって昇降駆動される。図４（ａ）のように、インクジェットヘッド４がメンテナンスポジションにあるときに、キャップ昇降モータ２４によって吸引キャップ２１が上方に駆動されると、図４（ｂ）のように、吸引キャップ２１はインクジェットヘッド４のインク噴射面４ａに密着し、複数のノズル１６の開口を覆う。この状態で、吸引キャップ２１に接続された吸引ポンプ２３が駆動されると、吸引キャップ２１内の圧力が低下するため、インクジェットヘッド４内のインクがノズル１６から吸引キャップ２１内へ吸引排出される（吸引パージ）。
【００３７】
ワイパー２２は、ゴムや合成樹脂等の可撓性材料からなる平板状の部材であり、鉛直方向と平行となるように立設されている。より具体的には、図２に示すように、ワイパー２２は、メンテナンスベース２０のプラテン２側の側面において、鉛直姿勢で、メンテナンスベース２０に対して上下方向に移動可能に取り付けられており、メンテナンスベース２０に設けられたワイパー昇降モータ２５（図５参照、図１、図２では図示省略）によって上下に昇降駆動される。図４（ｃ）に示すように、インクジェットヘッド４がメンテナンスポジションにあり、ワイパー２２とインクジェットヘッド４が走査方向に同じ位置にある状態で、ワイパー２２がインク噴射面４ａと直交する上下方向に駆動されることで、ワイパー２２は、その先端部がインク噴射面４ａに接触した位置と、インク噴射面４ａから離間した位置との間を移動（離接）する。尚、ワイパー２２を昇降させるワイパー昇降モータ２５が本願発明の離接手段に相当する。
【００３８】
図４（ｃ）に２点鎖線で示されるように、ワイパー２２の先端部がインク噴射面４ａに接触した状態で、図４（ｄ）に示すように、インクジェットヘッド４がキャリッジ３とともに走査方向に移動することで、ワイパー２２がインク噴射面４ａに対して走査方向に相対移動し、インク噴射面４ａに付着したインクがワイパー２２で拭き取られる。即ち、インクジェットヘッド４が搭載されたキャリッジ３を走査方向に移動させるキャリッジ駆動モータ１５が、ワイパー２２にインク噴射面４ａを拭き取らせる本願発明のワイパー駆動手段に相当する。尚、図１に示すように、ワイパー２２の幅（搬送方向の寸法）は、インク噴射面４ａの幅と同じかそれよりも大きくなっており、ワイパー２２はインク噴射面４ａの全面を１回で拭き取ることが可能になっている。
【００３９】
また、図３（ｂ）に明らかに示されているように、ワイパー２２は、その先端側部分が基端側部分よりも厚みが小さくなっており、インク噴射面４ａに接触したときに容易に湾曲して、インク噴射面４ａのインクを確実に拭き取ることができるようになっている（図４（ｄ））。
【００４０】
さらに、図１〜図３に示すように、ワイパー２２には、インク噴射面４ａの拭き取りによってワイパー２２に付着したインクが、プラテン２へ向けて飛散するのを防止するために、ワイパー２２とほぼ平行な鉛直姿勢のワイパーフィルム２６（板状部材）が、ワイパー２２のプラテン２側の面（左面）と所定の隙間を空けて隣接して設けられている。図２、図３に示すように、ワイパーフィルム２６は、その基端部においてワイパー２２に固定されており、ワイパー２２と一体的に上下に移動可能である。
【００４１】
上記ワイパーフィルム２６は、以下の（１）〜（３）の３つの機能を発揮することによって、ワイパー２２からプラテン２へのインクの飛散を確実に阻止する。
【００４２】
（１）ワイパーフィルム２６とワイパー２２のプラテン２側の面との間の隙間（両者の先端部間の隙間３０）は、ワイパー２２のプラテン２側の面に付着したインクに毛管力を作用させて吸い込むことができるような、微小な隙間に設定される。これにより、ワイパー２２のプラテン２側の面にインクが付着した場合に、このインクは、毛管力の作用によってワイパー２２とワイパーフィルム２６との間の隙間３０に速やかに吸い込まれるため、ワイパー２２からプラテン２へのインクの飛散が防止される。
【００４３】
（２）ワイパーフィルム２６は、ワイパー２２と接触することにより、ワイパー２２の振動を抑制する。この振動抑制効果によっても、ワイパー２２からのインクの飛散を抑制することができる。
【００４４】
（３）ワイパーフィルム２６は、ワイパー２２とプラテン２との間に位置することから、ワイパー２２からプラテン２側にインクが飛散した場合であっても、そのインクをブロックする遮蔽壁として機能する。また、ワイパー２２からインクがプラテン２側に飛散する場合、このインクは重力の影響を受けて放物線の軌跡を描いてプラテン２まで飛翔するため、ワイパー２２とプラテン２との真ん中の位置に遮蔽壁が設置された場合には、飛散したインクの一部が遮蔽壁の上を超えてプラテン２に到達することが考えられる。しかし、本実施形態のワイパーフィルム２６は、インクの飛散元であるワイパー２２に隣接して設けられていることから、ワイパー２２からプラテン２に向けて飛散するインクを確実にブロックすることができる。
【００４５】
さらに、本実施形態のワイパーフィルム２６は、以下の（ａ）〜（ｄ）の特徴的な構成を有する。
【００４６】
（ａ）図３（ａ）に示すように、ワイパーフィルム２６の幅はワイパー２２の幅よりも大きくなっており、ワイパーフィルム２６の幅方向両端部はワイパー２２の幅方向両端からそれぞれ外側にはみ出している。即ち、ワイパー２２の幅方向全域がワイパーフィルム２６によってカバーされていることから、プラテン２側へのインクの飛散が確実に防止される。
【００４７】
（ｂ）ワイパー２２とワイパーフィルム２６との間で強い毛管力を発生させるには、両者の先端部の隙間３０は小さくすることが望ましいが、両者の基端側の部分においても隙間が小さいと、隙間に吸い込まれたインクが排出されにくくなり、常時残留した状態となってしまう。そこで、本実施形態では、図３（ｂ）に示すように、ワイパーフィルム２６の先端部がワイパー２２のプラテン２側の面に近づくように曲がっている。これにより、ワイパー２２とワイパーフィルム２６の先端部同士の隙間３０は小さくなり、大きな毛管力を発生させることができる一方で、それよりも基端側には隙間３０よりも幅の大きな空間３１が存在することになるから、隙間３０に吸い込まれたインクを、大きな空間３１を介して速やかに下方に排出することができる。尚、図示は省略するが、ワイパー２２とワイパーフィルム２６の先端部同士の隙間３０からその下の空間３１に流れ込んだインクは、さらに、この空間３１の下方に設けられた吸収部材によって吸収される。
【００４８】
また、上記のようにワイパーフィルム２６の先端部がワイパー２２側へ曲がっている場合には、ワイパー２２と平行な場合と比較して、ワイパーフィルム２６の先端部がワイパー２２の近くに位置するので、ワイパー２２とワイパーフィルム２６が接触しやすくなる。その為、ワイパー２２が振動したとしても、湾曲変形する変形量を抑えたり、ワイパーフィルム２６と接触して振動を抑制したりすることが可能となる。
【００４９】
また、ワイパーフィルム２６の先端部がワイパー２２側に曲げられていることにより、インクジェットヘッド４に近接して配置されているローラ１７にワイパーフィルム２６の先端部が接触して、ローラ１７がインクで汚れてしまうことを防止するという効果も得られる（図４（ｃ）参照）。
【００５０】
（ｃ）ワイパーフィルム２６は、高分子樹脂等の可撓性材料からなる非常に薄いフィルム状の部材であり、ワイパー２２と比べると剛性（曲げ剛性）は格段に低くなっている。これにより、インク噴射面４ａの拭き取りを行う際に、ワイパー２２の先端部の湾曲変形が、ワイパーフィルム２６によって阻害されず、ワイパー２２によるインク拭き取りを確実に行うことができる。
【００５１】
また、ワイパーフィルム２６の濡れ性は、ワイパー２２よりも高くなっている。これにより、ワイパーフィルム２６のプラテン２側の面にインクが流れたとしても、インクがワイパーフィルム２６の表面で液滴になり難く、ワイパー２２よりもプラテン２側に近い位置にあるワイパーフィルム２６から、プラテン２に向けてインクが飛散するのを抑制できる。
【００５２】
（ｄ）ワイパー２２に付着したインクの飛散防止、及び、毛管力の作用による、付着インクの吸引排出を効果的に行うためには、ワイパーフィルム２６はワイパー２２の先端近くまで延びていることが好ましい。一方で、ワイパーフィルム２６の先端位置とワイパー２２の先端位置とが上下方向において一致していると、ワイパーフィルム２６の先端がインク噴射面４ａに接触してしまう。そこで、本実施形態では、ワイパーフィルム２６の先端は、ワイパー２２の先端よりも低い位置にあるが、図４（ｃ）のようにワイパー２２の先端部がインク噴射面４ａに接触して湾曲する際に、これに伴ってワイパーフィルム２６の先端部も湾曲するように、ワイパーフィルム２６の先端はワイパー２２の先端よりも少しだけ低い位置にある。
【００５３】
但し、ワイパー２２の先端部とワイパーフィルム２６の先端部とが共に湾曲するといっても、ワイパー２２と、このワイパー２２の湾曲に追従するワイパーフィルム２６の湾曲の曲率は同じではなく、ワイパーフィルム２６の曲率はワイパー２２よりも小さくなる（湾曲が緩やかになる）。そのため、湾曲していない状態でのワイパーフィルム２６の先端とワイパーの先端２２とが近いと、ワイパー２２が湾曲したときにワイパーフィルム２６の先端位置とワイパー２２の先端位置とが上下方向においてほぼ同じになり、ワイパーフィルム２６の先端がインク噴射面４ａに接触してしまう。そこで、ワイパーフィルム２６の先端は、図５（ａ）〜（ｃ）に示される拭き取り時（ワイパー２２の湾曲状態）においてもインク噴射面４ａに接触しないように、ワイパー２２の先端との上下方向位置関係（即ち、図３（ｂ）の寸法Ａ）が決定されている。
【００５４】
次に、制御装置７を中心とするインクジェットプリンタ１の制御系について、図５のブロック図を参照して詳細に説明する。図５に示されるプリンタ１の制御装置７は、例えば、中央処理装置であるＣＰＵ（Central Processing Unit）と、プリンタ１の全体動作を制御する為の各種プログラムやデータ等が格納されたＲＯＭ（Read Only Memory）と、ＣＰＵで処理されるデータ等を一時的に記憶するＲＡＭ（Random Access Memory）等を含むマイクロコンピュータを備え、ＲＯＭに格納されたプログラムがＣＰＵで実行されることにより、以下に説明するような種々の制御を行う。あるいは、制御装置７は、演算回路を含む各種回路が組み合わされたハードウェア的なものであってもよい。
【００５５】
また、制御装置７は、印刷制御部４０、及び、メンテナンス制御部４１を備えている。尚、以下に説明する、印刷制御部４０、及び、メンテナンス制御部４１のそれぞれの機能は、実際には、上述したマイクロコンピュータの動作、あるいは、演算回路を含む各種回路の動作によって実現される。
【００５６】
印刷制御部４０は、ＰＣ５０から入力された、印刷する画像等に関するデータ（印字データ）に基づき、インクジェットヘッド４、キャリッジ３を駆動するキャリッジ駆動モータ１５、及び、搬送機構５の搬送ローラ１８，１９をそれぞれ駆動する搬送モータ４２，４３を制御して、記録用紙Ｐへの印刷を行わせる。
【００５７】
メンテナンス制御部４１は、キャリッジ駆動モータ１５を駆動してメンテナンス時（吸引パージ、あるいは、インク拭き取り）時のインクジェットヘッド４の位置を制御するとともに、吸引キャップ２１を昇降させるキャップ昇降モータ２４、吸引ポンプ２３、及び、ワイパー２２を駆動するワイパー昇降モータ（離接手段）を制御して、吸引パージやインク拭き取りを行わせる。尚、メンテナンス制御部４１が、ワイパー２２によるインク噴射面４ａの拭き取り動作を制御する、本願発明の拭き取り制御手段に相当する。
【００５８】
メンテナンス制御部４１により制御される、メンテナンスユニット６の一連の動作について、図４を参照して具体的に説明する。電源投入直後、あるいは、ユーザーによるパージ指令が入力された場合など、インクジェットヘッド４の吸引パージを行う必要が生じた場合に、メンテナンス制御部４１はメンテナンスユニット６を動作させる。
【００５９】
まず、図４（ａ）に示すように、インクジェットヘッド４を、メンテナンスユニット６（特に、吸引キャップ２１）と対向するメンテナンスポジションに位置させる。
【００６０】
次に、キャップ昇降モータ２４により吸引キャップ２１を図４（ａ）の待機位置から上昇させ、図４（ｂ）のように、吸引キャップ２１をインクジェットヘッド４のインク噴射面４ａに密着させる。この状態で、吸引ポンプ２３を駆動して吸引キャップ２１内の圧力を低下させる。これにより、吸引キャップ２１に覆われた複数のノズル１６の開口から、インクジェットヘッド４内に混入した異物や気泡をインクとともに吸引排出させる（吸引パージ）。
【００６１】
一定時間の吸引パージが終了したら、吸引キャップ２１を下降させて再び待機位置に戻す。このとき、ノズル１６から排出されたインクの一部がインク噴射面４ａに付着した状態となっている。そこで、続けてワイパー２２にインク噴射面４ａのインク拭き取りを行わせる。まず、図４（ｃ）に示すように、キャリッジ３をプラテン２側に少し移動させ、インク噴射面４ａのプラテン２側の端部をワイパー２２の直上に位置させる。この状態で、ワイパー昇降モータ２５によりワイパー２２を上方に移動させ、その先端部をインク噴射面４ａに接触させる。尚、前述したように、ワイパーフィルム２６の先端部がワイパー２２側に曲がっているために、インクジェットヘッド４に近接して配置されているローラ１７にワイパーフィルム２６の先端部が接触することがなく、ローラ１７がインクで汚れてしまうことが防止されている。
【００６２】
さらに、図４（ｄ）に示すように、キャリッジ３をプラテン２に近づく方向に移動させる。これによって、ワイパー２２がインク噴射面４ａに対してプラテン２から遠ざかる方向に相対的に移動することになり、インク噴射面４ａに付着したインクを拭き取る。
【００６３】
ところで、図４（ｄ）に示すように、インク噴射面４ａに対してワイパー２２を走査方向に関してプラテン２から遠ざかる方向に相対移動させてインク噴射面４ａを拭き切るようにした場合、ワイパー２２の拭き取り面はプラテン２と反対側の面であることから、拭き取ったインクがワイパー２２から飛び散ったとしても、プラテン２側へ飛散するインクは多くなく、プラテン２を汚す頻度はさほど高くない。しかし、インク拭き取りを行っているときにはワイパー２２は湾曲して大きな弾性エネルギーを蓄えた状態であり、上記のようにワイパー２２を一方向にのみ移動させて拭き切るようにすると、ワイパー２２がインク噴射面４ａから離れる際に、上記弾性エネルギーが一度に解放されるために、多量且つ広範囲にインクが飛散してしまう。特に、本実施形態のように、インクジェットヘッド４に近接して、記録用紙Ｐを押さえつけるためのローラ１７が配されている場合、インク噴射面４ａを拭き終えたワイパー２２から飛散したインクが、ローラ１７に付着する可能性が高くなる。そこで、本実施形態では、ワイパー２２をインク噴射面４ａから離す際に、飛散するインクが少なくなるように、ワイパー２２のインク拭き取りに工夫がなされている。
【００６４】
図６は、ワイパー２２によるインク拭き取り動作の説明図である。図６（ａ）のように、インク噴射面４ａのプラテン２側の端部（図中左側の端部）にワイパー２２の先端部が湾曲しながら接触している状態で、インクジェットヘッド４をプラテン２側へ移動させることにより、ワイパー２２をインク噴射面４ａに対してプラテン２と反対側（図中右方）へ相対移動させて、インク噴射面４ａのインクＩを拭き取る。
【００６５】
図６（ｂ）に示すように、ワイパー２２の先端部がインク噴射面４ａ（特に、ノズル１６が開口する領域）に付着したインクを拭き終えて、インク噴射面４ａのプラテン２と反対側の端部に到達すると、ワイパー２２がインク噴射面４ａから離れる前に、図６（ｃ）のように、インクジェットヘッド４を先ほどとは逆に、プラテン２から遠ざかる方向に少し移動させる。即ち、ワイパー２２をインク噴射面４ａに対してプラテン２側に相対移動させる。同時にワイパー２２を下降させてインク噴射面４ａから離間させる。このようにすると、図６（ｃ）に示されるように、ワイパー２２の湾曲が幾分緩和されて蓄えられていた弾性エネルギーが減少し、その状態で、図６（ｄ）のようにワイパー２２がインク噴射面４ａから離間することになるため、インクの飛散が抑制される。
【００６６】
しかし、図６（ｃ）のように、ワイパー２２が拭き取り方向とは逆方向に相対移動したときに、本来はインクの拭き取り面ではない、プラテン２側の面がインク噴射面４ａに接触する。ここで、インク噴射面４ａに付着していたインクは、図６（ｂ）の拭き取りによって大部分は拭き取られるものの、少量のインクが拭き取られずに残っていることも多い。そのため、ワイパー２２のプラテン２側の面に少量ながらもインクが付着してしまい、図６（ｄ）のようにワイパー２２の先端がインク噴射面４ａから離間したときに、そのインクがプラテン２側に飛散してしまう虞がある。
【００６７】
しかし、本実施形態では、上述したように、ワイパー２２には、そのプラテン２側の面と所定の隙間３０を空けてワイパーフィルム２６が隣接して配置されている。そのため、ワイパー２２のプラテン２側の面にインクが付着しても、そのインクはワイパーフィルム２６との間の隙間３０に吸い込まれる。さらに、仮にワイパー２２からプラテン２側にインクが飛散したとしても、そのインクの飛散は遮蔽壁としてのワイパーフィルム２６によって遮断される。
【００６８】
次に、前記実施形態に種々の変更を加えた変更形態について説明する。但し、前記実施形態と同様の構成を有するものについては、同じ符号を付して適宜その説明を省略する。
【００６９】
１］前記実施形態では、走査方向の位置が固定されたワイパー２２に対して、インクジェットヘッド４をキャリッジ３とともに走査方向に移動させることにより、ワイパー２２によるインク噴射面４ａの拭き取りが行われるようになっていたが、ワイパー２２の方を、モータ等の適宜のアクチュエータからなるワイパー駆動手段によってインクジェットヘッド４に対して移動させることにより、インク噴射面４ａの拭き取りを行うように構成されてもよい。
【００７０】
２］前記実施形態では、ワイパー２２をインク噴射面４ａに対してプラテン２と反対側に相対移動させてインクを拭き取った後に、ワイパー２２を逆方向に移動させつつ下降させるようになっていたが、ワイパー２２によりインク噴射面４ａをプラテンから遠ざかる方向にのみ移動させて、インク噴射面４ａを拭き切るようにしてもよい。この場合、上述したように、ワイパー２２のプラテン２側の面に付着するインクは少ないものの、プラテン２と反対側の面で拭き取られたインクがプラテン２側の面に回ってくることもあり、そのようなインクがプラテン２へ向けて飛散してプラテン２を汚す可能性は皆無ではない。従って、上記構成であってもワイパーフィルム２６が設けられる意義は十分にある。
【００７１】
また、ワイパー２２の拭き取り方向（インク噴射面４ａに対する移動方向）は、プラテン２から遠ざかる方向に限定されるものではない。例えば、プラテン２に近づく方向にワイパー２２を移動させてもよいし、走査方向と直交する搬送方向にワイパー２２を移動させてもよい。尚、このように、ワイパー２２の拭き取り方向が、前記実施形態のプラテン２から遠ざかる方向とは異なる方向である場合には、前記実施形態と比べてワイパー２２からプラテン２側にインクが飛散しやすいことから、ワイパーフィルム２６が設けられる意義はさらに大きくなる。
【００７２】
３］前記実施形態では、ワイパー２２との間に微小な隙間を形成して毛管力を発生させるという機能を持たせるために、ワイパーフィルム２６はワイパー２２に隣接して設けられていた。しかし、ワイパー２２からプラテン２側に飛散するインクを遮断するという機能のみを考慮し、ワイパー２２とプラテン２との間の任意の位置に遮蔽壁としての板状部材が設けられるだけでも、ワイパー２２からプラテン２側へのインクの飛散を抑制することは可能である。
【００７３】
但し、前記実施形態でも触れたように、ワイパー２２からプラテン２側へ飛散したインクは、重力の影響を受けて放物線状の軌跡を描く。そのため、プラテン２側へ飛散するインクを遮蔽する板状部材は、前記実施形態のワイパーフィルム２６と同様に、飛散元のワイパー２２に隣接して設けられるか、あるいは、図８に示されるように、板状部材６０がプラテン２に設けられると効果的である。
【００７４】
また、遮蔽壁としての機能のみを要求するのであれば、板状部材は、前記実施形態のワイパーフィルム２６のように、非常に薄く、剛性が低い部材である必要はない。逆に、それ自身でワイパー２２と平行な姿勢を維持できるように、ある程度厚みがあり、一定以上の剛性を有するものである方が好ましい。
【００７５】
４］ワイパー２２によるインク噴射面４ａのインク拭き取りを行うタイミングは、前記実施形態で挙げた、吸引パージ後に限られるものではない。例えば、記録用紙Ｐに対してインクを噴射して印刷を行った後にインク拭き取りを行ってもよい。
【符号の説明】
【００７６】
１  インクジェットプリンタ
２  プラテン
３  キャリッジ
４  インクジェットヘッド
４ａ  インク噴射面
１５  キャリッジ駆動モータ
１６  ノズル
２２  ワイパー
２５  ワイパー昇降モータ
２６  ワイパーフィルム
３０  隙間
４１  メンテナンス制御部
６０  板状部材
【図１】
2012056126.tif 000003
【図２】
2012056126.tif 000004
【図３】
2012056126.tif 000005
【図４】
2012056126.tif 000006
【図５】
2012056126.tif 000007
【図６】
2012056126.tif 000008
【図７】
2012056126.tif 000009